(57)【要約】【課題】対象画像の共通位置に付加情報を付加する場合に、イメージ画像に欠けを生じることがなく、ユーザの意図した付加情報の付加を行うことができる画像処理装置を提供する。【解決手段】画像識別部１３は、ページメモリ１２に記憶された画像の各頁がイメージ画像であるかテキスト画像であるかを識別してその識別結果を属性情報として画像の付加する。情報付加部１４は、頁番号付加選択画面で「すべての頁に頁番号を付加する」指示キーが選択された場合は、ページメモリ１２に記憶されている全ての画像に頁番号を順次付加し、「テキスト頁のみに頁番号を付加する」指示キーが選択された場合は、画像識別部１３による画像識別結果に基づいてページメモリ１２に記憶されている複数の画像のうちテキスト画像の頁のみに頁番号を順次付加する。【選択図】　　　図１
2004064552.tif 000002
【特許請求の範囲】
【請求項１】
頁単位で入力された複数の画像の共通位置に付加情報を付加する画像処理装置において、
前記画像の前記共通位置がイメージ領域であるか前記イメージ領域以外の領域であるかを識別する識別手段と、
前記識別手段により前記画像の前記共通位置が前記イメージ領域以外の領域であると識別されたとき、前記画像の前記共通位置に前記付加情報を付加する付加手段とを備えたことを特徴とする画像処理装置。
【請求項２】
前記識別手段は、前記画像がイメージ画像であるかテキスト画像であるかを識別し、
前記付加手段は、前記識別手段により前記画像が前記テキスト画像であると識別されたとき、前記画像の前記共通位置に前記付加情報を付加することを特徴とする請求項１記載の画像処理装置。
【請求項３】
前記付加情報は、頁番号等の連続した情報であることを特徴とする請求項１記載の画像処理装置。
【請求項４】
前記付加情報は、前記複数の画像に対して同一の情報であることを特徴とする請求項１記載の画像処理装置。
【請求項５】
頁単位で入力された複数の画像の共通位置に付加情報を付加する画像処理装置において、
前記画像がイメージ画像であるかテキスト画像であるかを識別する識別手段と、
前記複数の画像の全てに前記付加情報を付加するか、前記テキスト画像にのみ前記付加情報を付加するかを選択する選択手段と、
前記選択手段による選択に従い前記識別手段による識別を基に前記画像の前記共通位置に前記付加情報を付加する付加手段とを備えたことを特徴とする画像処理装置。
【請求項６】
頁単位で入力された複数の画像の共通位置に付加情報を付加する画像処理装置において、
前記画像がイメージ画像であるかテキスト画像であるかを識別する識別手段と、
前記付加情報を付加する頁を指定する指定手段と、
前記複数の画像の全てに前記付加情報を付加するか、前記テキスト画像にのみ前記付加情報を付加するか、前記指定手段により指定された前記頁にのみ前記付加情報を付加するかを選択する選択手段と、
前記選択手段による選択に従い前記識別手段による識別を基に前記画像の前記共通位置に前記付加情報を付加する付加手段とを備えたことを特徴とする画像処理装置。
【発明の詳細な説明】
【０００１】
【発明の属する技術分野】
本発明は、デジタル複写機，プリンタ，ファクシミリ，複合機等の画像処理装置に関し、特に、対象画像の共通位置に付加情報を付加する場合に、イメージ画像に欠けを生じることがなく、ユーザの意図した付加情報の付加を行うことができる画像処理装置に関する。
【０００２】
【従来の技術】
従来の画像処理装置として、例えば、特開平７−２００５５１号公報に示されるものがある。
【０００３】
この画像処理装置は、同一文書の各頁の共通位置（各頁の上、下の余白部分の左端、中央、右端）に頁番号を付加する機能を備えたものであり、各頁の画像の頁番号を付加する領域の濃度、すなわち、ＯＮのドット数／全トッド数を検出する濃度検出部と、濃度検出部によって検出された濃度が７０％以上のときに、付加する頁番号を白抜き（白黒反転）にして付加する情報付加部とを備える。
【０００４】
この画像処理装置によれば、文書データがイメージ画像であって頁番号を付加する位置の濃度が高くても頁番号が白抜きで付加されるため、頁番号を認識することができる。
【０００５】
【発明が解決しようとする課題】
しかし、従来の画像処理装置によると、イメージ画像に対して常に頁番号が付加されてしまうため、イメージ画像の一部が頁番号によって欠けてしまい、これを望まないユーザにとって不都合が生じていた。
【０００６】
従って、本発明の目的は、対象画像の共通位置に付加情報を付加する場合に、イメージ画像に欠けを生じることのない画像処理装置を提供することにある。
また、本発明の他の目的は、対象画像にイメージ画像が含まれている場合でもユーザの意図した付加情報の付加を行うことができる画像処理装置を提供することにある。
【０００７】
【課題を解決するための手段】
本発明は、上記目的を達成するため、頁単位で入力された複数の画像の共通位置に付加情報を付加する画像処理装置において、前記画像の前記共通位置がイメージ領域であるか前記イメージ領域以外の領域であるかを識別する識別手段と、前記識別手段により前記画像の前記共通位置が前記イメージ領域以外の領域であると識別されたとき、前記画像の前記共通位置に前記付加情報を付加する付加手段とを備えたことを特徴とする画像処理装置を提供する。
この構成によれば、画像の共通位置がイメージ領域以外の領域のときに付加情報が付加されるので、イメージ画像が付加情報によって欠けを生じることがなくなる。
【０００８】
本発明は、上記目的を達成するため、頁単位で入力された複数の画像の共通位置に付加情報を付加する画像処理装置において、前記画像がイメージ画像であるかテキスト画像であるかを識別する識別手段と、前記複数の画像の全てに前記付加情報を付加するか、前記テキスト画像にのみ前記付加情報を付加するかを選択する選択手段と、前記選択手段による選択に従い前記識別手段による識別を基に前記画像の前記共通位置に前記付加情報を付加する付加手段とを備えたことを特徴とする画像処理装置を提供する。
この構成によれば、ユーザは、選択手段により、全ての頁に付加情報を付加するか、テキスト画像にのみ付加情報を付加するかを選択することができる。
【０００９】
【発明の実施の形態】
図１は、本発明の実施の形態に係る画像処理装置が適用されたデジタル複写機を示す。このデジタル複写機は、このデジタル複写機全体を制御するコントローラ１と、ユーザの操作によって各種の設定，入力，指示が可能な操作パネル２と、原稿から画像を読み取って入力する画像入力部３と、用紙に画像を印字して出力する画像出力部４とを有する。
【００１０】
操作パネル２は、タッチパネルディスプレイ２０と、数字を入力するテンキー２１と、原稿の読み取り開始を指示するスタートボタン２２等の各種のキーあるいはボタンを備える。タッチパネルディスプレイ２０は、液晶ディスプレイ等の表示部と、この表示部の上に重合配置された入力部からなる。入力部は、表示部に表示された各項目の表示位置に対応する入力部の部分を押圧することによって入力操作が行えるようになっている。
【００１１】
画像入力部３は、原稿が載置される透明のプラテンガラスからなる原稿台３０と、操作パネル２のスタートボタン２２の押下によって原稿を自動給紙する自動原稿供給装置（ＡＤＦ）３１と、原稿台３０に載置された原稿、あるいはＡＤＦ３１により供給された原稿からＣＣＤ（Ｃｈａｒｇｅ　Ｃｏｕｐｌｅｄ　Ｄｅｖｉｃｅ）等の固体撮像素子によって画像を光学的に読み取り、それをＡ／Ｄ変換して出力する画像読取部３２とを備える。
【００１２】
画像出力部４は、用紙を印字位置まで供給する用紙供給部４０と、印字位置に供給された用紙に画像を例えば、電子写真プロセス方式により印字する印字部４１とを備える。電子写真プロセスは、感光体に対する帯電，現像，クリーニングを繰り返すことにより実現される。すなわち、感光体の表面を帯電器によって一様に帯電させた後、画像データに従って感光体の表面を露光して静電潜像を形成し、現像器によって静電潜像をトナー像とした後、用紙供給部４０から供給された用紙上にトナー像を転写する。その後、加熱溶融・圧着作用によってトナー像を用紙上に定着して外部に排出する。転写後の感光体の表面は、残留トナーをクリーナによって除去した後、次の現像プロセスに供される。
【００１３】
コントローラ１は、コントローラ１の各部を制御するとともに、このデジタル複写機全体を制御する制御部１０と、制御部１０のプログラムが格納されたプログラムメモリ１１と、画像を頁単位で記憶するページメモリ１２と、ページメモリ１２に記憶された画像がイメージデータからなる画像（以下「イメージ画像」という。）であるかテキストデータからなる画像（以下「テキスト画像」という。）であるかを識別する画像識別部１３と、ページメモリ１２に記憶された画像に頁番号等の付加情報を付加する処理を行う情報付加部１４とを備える。
【００１４】
画像識別部１３は、ページメモリ１２に記憶されている各頁の画像がイメージ画像であるかテキスト画像であるかを画素値を調べることで識別し、その識別結果を属性情報として画像に付加するものである。識別方法としては、例えば、イメージ画像が２値画像の場合は、画像を構成する全ドット数に対して黒ドット数の割合が一定値（例えば３０％）以上のときはイメージ画像と判定し、それ未満のときはテキスト画像と判定してもよく、イメージ画像が３値以上の多値画像の場合は、画素値が３値以上を有するときはイメージ画像と判定し、２値からなるときはテキスト画像と判定してもよい。これらの識別方法において、画像の全領域の画素値を調べてもよく、一部の領域の画素値を調べてもよい。
【００１５】
情報付加部１４は、対象画像の属性情報を調べ、それがイメージ画像の場合は、そのイメージ画像の付加情報入力位置を白抜きした後、その白抜きした部分に付加情報を入力するようにしている。なお、情報付加部１４は、付加情報入力位置の濃度、すなわち、全ドット数に対する黒ドット数の割合を検出する濃度検出部を備え、この濃度検出部により検出された濃度が一定の値（例えば７０％）以上のとき、付加情報が識別可能となるように付加情報を強調処理、例えば、白抜き処理（白黒反転）して付加してもよい。情報付加部１４が付加する付加情報としては、例えば、頁番号の他、イ，ロ，ハ…、ａ，ｂ，ｃ…等の符号を各頁に対応して順次付加してもよい。また、付加情報として、各頁共通の管理番号や部数を識別するための情報等でもよく、秘密扱いであることを示すマーク，文字等でもよい。
【００１６】
次に、本実施の形態の動作を図面を参照して説明する。
（１）付加情報として頁番号を付加する場合
【００１７】
図２は、タッチパネルディスプレイ２０の表示画面の一例を示す。まず、ユーザは、原稿を画像入力部３のＡＤＦ３１上に載置し、操作パネル２のタッチパネルディスプレイ２０に表示されているメニュー選択画面（不図示）から機能選択を選択すると、図２（ａ）に示すように、機能選択画面が表示される。この機能選択画面には、「頁番号追加」指示キー２３ａ、「秘付加」指示キー２３ｂ等の各種の付加情報の指示キーが表示され、その他に、機能選択画面をメニュー選択画面に戻す「閉じる」キー２４、指示した内容を確定する「確定」キー２５が表示される。
【００１８】
ここで、ユーザは、「頁番号付加」指示キー２３ａを押下して「確定」キー２５を押下すると、図２（ｂ）に示すように、タッチパネルディスプレイ２０に頁番号位置選択画面が表示される。この頁番号位置選択画面には、頁番号入力位置（付加情報入力位置）を指示する「上」指示キー２６ａ、「下」指示キー２６ｂ、「左端」指示キー２６ｃ、「中央」指示キー２６ｄ、「右端」指示キー２６ｅ、頁番号位置選択画面を機能選択画面に戻す「閉じる」キー２４、および指示した内容を確定する「確定」キー２５が表示される。
【００１９】
ここで、指示キー２６ａ〜２６ｅのいずれかの指示キーを押下して「確定」キー２５を押下すると、図２（ｃ）に示すように、タッチパネルディスプレイ２０に頁番号付加選択画面が表示される。この頁番号付加選択画面には、「すべての頁に頁番号を付加する」指示キー２７ａ、「テキスト頁のみに頁番号を付加する」指示キー２７ｂ、「指定頁に頁番号を付加する」指示キー２７ｃ、頁番号付加選択画面を頁番号位置選択画面に戻す「閉じる」キー２４、および指示した内容を確定する「確定」キー２５が表示される。
【００２０】
ここで、ユーザは、指示キー２７ａ〜２７ｃのいずれかを押下して選択する。「指定頁に頁番号を付加する」指示キー２７ｃを選択すると、図２（ｄ）に示すように、タッチパネルディスプレイ２０に指定頁入力画面が表示される。この指定頁入力画面には、複数の頁番号入力領域２８、「表紙あり」キー２９、指定頁入力画面を頁番号付加選択画面に戻す「閉じる」キー２４、および指示した内容を確定する「確定」キー２５が表示される。頁番号入力領域２８に頁番号を入力するためには、テンキー２１を用いて行う。例えば、２〜４、６以降に頁番号を入力したい場合は、テンキー２１の「２」を入力して「確定」キー２５を押下し、テンキー２１の「４」を入力して「確定」キー２５を押下し、テンキー２１の「６」を入力して「確定」キー２５を押下することで行える。
【００２１】
ユーザが図２（ｃ）の頁番号付加選択画面で指示キー２７ａ〜２７ｃのいずれかを押下し、指示キー２７ｃを押下した場合は、図２（ｄ）の指定頁入力画面で頁番号を入力した後、スタートボタン２２を押下すると、ＡＤＦ３１は、原稿を順次供給し、画像読取部３２は、ＡＤＦ３１から供給された原稿の画像を読み取り、それをＡ／Ｄ変換した後、コントローラ１に送信する。コントローラ１の制御部１０は、画像入力部３から送信された画像をページメモリ１２に頁単位で記憶する。
【００２２】
画像識別部１３は、ページメモリ１２に記憶された画像の各頁がテキスト画像かイメージ画像かを識別してその識別結果を属性情報として画像に付加する。
【００２３】
情報付加部１４は、図２（ｂ）の頁番号位置選択画面で選択された頁番号入力位置（付加情報入力位置）に図２（ｃ）に示す頁番号付加選択画面で選択された指示内容に従い、頁番号を付加する処理を行う。すなわち、図２（ｃ）に示す頁番号付加選択画面で「すべての頁に頁番号を付加する」指示キー２７ａが選択された場合は、ページメモリ１２に記憶されている全ての画像に頁番号を順次付加する。図２（ｃ）に示す頁番号付加選択画面で「テキスト頁のみに頁番号を付加する」指示キー２７ｂが選択された場合は、対象画像の属性情報を基にテキスト画像のみに頁番号を順次付加する。図２（ｃ）に示す頁番号付加選択画面で「指定頁に頁番号を付加する」指示キー２７ｃが選択され、図２（ｄ）に示す指定頁入力画面で指定頁が入力された場合は、ページメモリ１２に記憶されている複数の画像のうち指定された頁のみに頁番号を順次付加する。また、情報付加部１４は、イメージ画像に頁番号を付加するときは、そのイメージ画像の頁番号入力位置を白抜きした後、その白抜きした部分に頁番号を付加する。
【００２４】
制御部１０は、ページメモリ１２に記憶されている複数の画像について画像識別部１３によって識別され、情報付加部１４によって頁番号が付加された後、ページメモリ１２に記憶されている画像を画像出力部４に送信する。
【００２５】
画像出力部４の印字部４１は、用紙供給部４０により供給させた用紙に画像を印字する。
【００２６】
図３（ａ）〜（ｃ）は、出力画像の一例を示す。ここでは、図２（ｂ）の頁番号位置選択画面で「下」指示キー２６ｂと「右端」指示キー２６ｅが選択された場合を示す。
【００２７】
図３（ａ）は、図２（ｃ）に示す頁番号付加選択画面で「すべての頁に頁番号を付加する」指示キー２７ａを選択した場合の出力画像の一例を示す。なお、同図中、５Ａはテキスト画像、５Ｂがイメージ画像を示す（以下、同じ。）。この場合は、全ての画像の指定された頁番号入力位置６に頁番号（１，２，３，４，５，…）順次付加され印字出力される。この場合、２頁目と４頁目のイメージ画像５Ｂの頁番号入力位置６は、白抜きされた後、頁番号（２，４）が付加される。
【００２８】
図３（ｂ）は、図２（ｃ）に示す頁番号付加選択画面で「テキスト頁のみに頁番号を付加する」指示キー２７ｂを選択した場合の出力画像の一例を示す。この場合は、テキスト画像５Ａの頁のみに頁番号（１，３，５，…）が付加され印字出力される。
【００２９】
図３（ｃ）は、図２（ｃ）に示す頁番号付加選択画面で「指定頁に頁番号を付加する」指示キー２７ｃを選択し、図２（ｄ）に示す指定頁入力画面で「表紙あり」キー２９が押下された場合の出力画像の一例を示す。この場合は、表紙５Ｃには、頁番号が付加されず、次頁から頁番号（１，２，３，４，…）が順次付加され印字出力される。
【００３０】
（２）付加情報として文書が秘密扱いである旨のマークを付加する場合
まず、ユーザは、原稿を画像入力部３のＡＤＦ３１上に載置し、操作パネル２のタッチパネルディスプレイ２０に表示されているメニュー選択画面（不図示）から機能選択を選択すると、図２（ａ）に示すように、機能選択画面が表示される。ユーザは、この機能選択画面で「秘付加」指示キー２３ｂを押下し、「確定」キー２５を押下する。スタートボタン２２を押下すると、ＡＤＦ３１は、原稿を順次供給し、画像読取部３２は、ＡＤＦ３１から供給された原稿の画像を読み取り、それをＡ／Ｄ変換した後、コントローラ１に送信する。コントローラ１の制御部１０は、画像入力部３から送信された画像をページメモリ１２に頁単位で記憶する。画像識別部１３は、ページメモリ１２に記憶された画像の各頁がテキスト画像かイメージ画像かを識別してその識別結果を属性情報として画像に付加する。情報付加部１４は、ページメモリ１２に記憶されている全ての画像に秘密扱いである旨のマークを付加する。このとき、情報付加部１４は、イメージ画像に秘密扱いである旨のマークを付加するときは、そのイメージ画像の付加情報入力位置を白抜きした後、その白抜きした部分に秘密扱いである旨のマークを付加する。
【００３１】
以上説明したように本実施の形態によれば、頁番号付加選択画面で各種の頁番号付加の態様を選択できるので、ユーザの意図した付加情報の付加を行うことができる。また、付加情報の対象画像がイメージ画像であっても、付加情報入力位置を白抜きした後、その白抜きした部分に付加情報を入力しているので、付加情報の視認性の低下を防げる。
【００３２】
なお、上記実施の形態では、各頁の画像がテキスト画像かイメージ画像かを識別し、その識別結果を基に付加情報を付加したが、各頁の画像のレイアウトを解析し、その解析結果を基に、頁番号入力位置（付加情報入力位置）がイメージ領域であるか、それ以外の領域、例えば、テキスト領域あるいは余白領域であるかを判断し、イメージ領域以外の領域と判断したときに頁番号を付加するようにしてもよい。
また、上記実施の形態では、コントローラ、操作パネル、画像入力部および画像出力部が一つにユニット化されたデジタル複写機について説明したが、これらが別個に、あるいは２つ以上組合わせてユニット化されてもよい。また、コントローラ、操作パネル、画像入力部および画像出力部がネットワークを介して互いに接続されていてもよい。例えば、コントローラ、操作パネルおよび画像入力部の機能を有するスキャナと、デジタル複写機と、画像出力部の機能を有するプリンタと、パーソナルコンピュータとがネットワークを介して接続されていてもよい。この構成によれば、スキャナあるいはデジタル複写機で入力した画像をそれぞれが有する画像識別部および情報付加部で画像を識別し、付加情報を付加した画像を他の機器の画像出力部を利用して画像を出力することができるので、並行処理が可能となり、効率的なコピーを行うことができる。
また、上記実施の形態によれば、ＡＤＦを用いた場合について説明したが、原稿台上に原稿を１枚ずつ載置して画像を読み取る場合についても本発明を同様に適用することができる。
【００３３】
【発明の効果】
以上説明したように、本発明の画像処理装置によれば、画像の共通位置がイメージ領域以外の領域のときに付加情報が付加されるので、対象画像の共通位置に付加情報を付加する場合に、イメージ画像に欠けを生じることがなくなる。
また、全ての頁に付加情報を付加するか、テキスト画像にのみ付加情報を付加するかを選択できるようにすることで、ユーザの意図した付加情報の付加を行うことができる。
【図面の簡単な説明】
【図１】本発明の実施の形態に係る画像形成装置が適用されたデジタル複写機のブロック図である。
【図２】（ａ）〜（ｄ）は本実施の形態に係るデジタル複写機の操作パネルの表示画面を示す図である。
【図３】（ａ）〜（ｃ）は本実施の形態に係るデジタル複写機の画像出力例を示す図である。
【符号の説明】
１　コントローラ
２　操作パネル
３　画像入力部
４　画像出力部
５Ａ　テキスト画像
５Ｂ　イメージ画像
５Ｃ　表紙
６　頁番号入力位置
１０　制御部
１１　プログラムメモリ
１２　ページメモリ
１３　画像識別部
１４　情報付加部
２０　タッチパネルディスプレイ
２１　テンキー
２２　スタートボタン
２３ａ，２３ｂ　指示キー
２４　「閉じる」キー
２５　「確定」キー
２６ａ〜２６ｃ　指示キー
２７　頁番号入力領域
３０　原稿台
３１　ＡＤＦ
３２　画像読取部
４０　用紙供給部
４１　印字部
【図１】
2004064552.tif 000003
【図２】
2004064552.tif 000004
【図３】
2004064552.tif 000005